(57)【要約】【課題】遊技機のハンドルと膳板のつらまでの距離に関係なく、使用者が遊技機のハンドルを握りやすい水平位置に取付位置を調節することのできる手置き台を提供すること。【解決手段】遊技機２の下方から後方側に突設される膳板３に設けられる手置き台１であって、腕Ｕを載置可能な載置面５が上部に設けられた本体部６と、本体部６の下部に設けられ、本体部６を膳板３上面に着脱自在に取り付けるための取付手段７と、を備え、載置面５は、その少なくとも一部が本体部６の下面６ａ後端よりも後方に突出するように設けられている。【選択図】図４
2009247845.tif 000002
【特許請求の範囲】
【請求項１】
遊技機の下方から後方側に突設される膳板に設けられる手置き台であって、
腕を載置可能な載置面が上部に設けられた本体部と、
前記本体部の下部に設けられ、前記本体部を前記膳板上面に着脱自在に取り付けるための取付手段と、
を備え、
前記載置面は、その少なくとも一部が前記本体部の下面後端よりも後方に突出するように設けられていることを特徴とする手置き台。
【請求項２】
前記取付手段は、前記本体部の下面側前部に設けられていることを特徴とする請求項１に記載の手置き台。
【請求項３】
前記取付手段は、前記膳板に着脱自在に取り付け可能な取付面と、該取付面の上部に形成された上下方向を向く軸部と、から構成され、
前記本体部は、前記軸部周りに回動自在に設けられていることを特徴とする請求項１または２に記載の手置き台。
【請求項４】
前記取付手段は、前記膳板の上面に吸着可能な吸盤からなることを特徴とする請求項１ないし３のいずれかに記載の手置き台。
【請求項５】
前記本体部は、前記取付手段に対して前後方向に相対移動自在に設けられていることを特徴とする請求項１ないし４のいずれかに記載の手置き台。
【発明の詳細な説明】
【技術分野】
【０００１】  本発明は、遊技機の下方から後方側に向けて延設される膳板に設けられる手置き台に関する。
【背景技術】
【０００２】  従来、この種の手置き台としては、例えば遊技機の設置場所である部位（膳板）を上下から挟み込んで固定する取付部本体に上方から柱部を螺合させており、柱部の上端から、柱部と略直角方向に延在する側方アーム部を接続し、この側方アーム部の延在側端部にはアーム台が水平方向に軸転可能に取り付けられ、アーム台を柱部回りに周回させることでアーム台の水平位置を、使用者が遊技機のハンドルを握りやすい水平位置や高さ位置に調節可能としているもの等がある（例えば、特許文献１参照）。【０００３】
【特許文献１】特開２００３−２６５８５０号公報（第３頁、第２図）
【発明の開示】
【発明が解決しようとする課題】
【０００４】  しかしながら、遊技機のハンドルは、その突出寸法（前後長さ）が機種により異なる場合があるため、上記特許文献１に記載のアームサポート（手置き台）のように、遊技機の設置場所である部位（膳板）の端部に固定して使用するものの場合、ハンドルからアーム台までの前後方向の距離が機種ごとに異なることになるため、機種によってはハンドルを握りやすい位置にアーム台を配置することが難しくなるという問題があった。【０００５】  本発明は、このような問題点に着目してなされたもので、遊技機の機種に応じて操作しやすい位置に設けることのできる手置き台を提供することを目的とする。
【課題を解決するための手段】
【０００６】  前記課題を解決するために、本発明の請求項１に記載の手置き台は、
遊技機の下方から後方側に突設される膳板に設けられる手置き台であって、
腕を載置可能な載置面が上部に設けられた本体部と、
前記本体部の下部に設けられ、前記本体部を前記膳板上面に着脱自在に取り付けるための取付手段と、
を備え、
前記載置面は、その少なくとも一部が前記本体部の下面後端よりも後方に突出するように設けられていることを特徴としている。
この特徴によれば、膳板上面に対して取付手段を着脱するだけで、該遊技機に対する載置面の前後位置を簡単に変えることができるため、使用者は、遊技機の機種に応じて、また所望の使用位置にセットして使用することができる。また、載置面は本体部の下面後端よりも後方に突き出した状態で設けられるため、載置面を極力後方、つまり遊技機から離れた位置に配置することができる。【０００７】  本発明の請求項２に記載の手置き台は、請求項１に記載の手置き台であって、
前記取付手段は、前記本体部の下面側前部に設けられていることを特徴としている。
この特徴によれば、本体部を極力膳板の後端側に配置することが可能となる。【０００８】  本発明の請求項３に記載の手置き台は、請求項１または２に記載の手置き台であって、
前記取付手段は、前記膳板に着脱自在に取り付け可能な取付面と、該取付面の上部に形成された上下方向を向く軸部と、から構成され、
前記本体部は、前記軸部周りに回動自在に設けられていることを特徴としている。
この特徴によれば、本体部を軸部周りに水平回転させることができるため、使用者の腕の置き方に応じて載置面の配置位置や向きを変更できるとともに、使用しない場合、あるいは遊技機を開放する際に所定の方向に回動して寄せておくことができるため、邪魔になることがない。【０００９】  本発明の請求項４に記載の手置き台は、請求項１ないし３のいずれかに記載の手置き台であって、
前記取付手段は、前記膳板の上面に吸着可能な吸盤からなることを特徴としている。
この特徴によれば、膳板の上面に対する本体部の取り付け、取り外しを、吸盤の吸引力を利用して簡単に行うことができる。【００１０】  本発明の請求項５に記載の手置き台は、請求項１ないし４のいずれかに記載の手置き台であって、
前記本体部は、前記取付手段に対して前後方向に相対移動自在に設けられていることを特徴としている。
この特徴によれば、膳板の上面に対する取付手段の取付位置を変更することなく、本体部を前後方向に移動するだけで、載置面の前後位置調整を容易に行うことができる。
【発明を実施するための最良の形態】
【００１１】  本発明に係る手置き台を実施するための最良の形態を実施例に基づいて以下に説明する。
【実施例１】
【００１２】  本発明の実施例を図面に基づいて説明すると、先ず図１（ａ）は、本発明の実施例１における手置き台の全体像を示す平面図であり、図１（ｂ）は、手置き台の側面図であり、図１（ｃ）は、手置き台の背面図であり、図２は、図１（ａ）における手置き台のＡ−Ａ断面図であり、図３（ａ）は、リストレストの平面図であり、図３（ｂ）は、図３（ａ）におけるリストレストのＢ−Ｂ断面図であり、図４（ａ）は、手置き台の膳板への取り付けを示す側面図であり、図４（ｂ）は、手置き台の膳板への取り付けを示す側面図であり、図５は、手置き台の回動を示す平面図であり、図６（ａ）は、載置面に載置されるリストレストの向きを示す側面図であり、図６（ｂ）は、実施例１の変形例である載置面に載置されるリストレストの向きを示す側面図であり、図７（ａ）は、実施例１の変形例である手置き台を示す平面図であり、図７（ｂ）は、手置き台を示す側面図であり、図７（ｃ）は、手置き台を示す背面図である。以下、図１（ａ）、図１（ｂ）、図２、図４（ａ）、図４（ｂ）、図７（ａ）、図７（ｂ）の紙面右側を手置き台の正面側とし、図１（ｃ）、図７（ｃ）の紙面奥側を手置き台の正面側として説明する。【００１３】  図１の符号１は、本発明の適用された手置き台である。この手置き台１は、図４（ａ）に示すように、遊技場内の本実施例における遊技機としてのパチンコ遊技機２の下方から後方に向かって突設される膳板３上面に取り付けられ、パチンコ遊技機２のハンドル４を握る使用者の腕Ｕを後述する載置面５に載置することによって、使用者の腕Ｕにかかる負荷を軽減している。【００１４】  図１（ａ）及び図１（ｂ）に示すように、手置き台１は、ＡＢＳ樹脂や、ＰＰ樹脂等の樹脂材により形成され、使用者の腕Ｕを載置可能な載置面５を有する本体部６と、膳板３上面に貼り付けられる本実施例における取付手段としての吸盤７と、から構成されている。【００１５】  本体部６について詳述すると、本体部６は、正面及び左右側面を覆う周壁と、上面を覆うように水平に形成される載置面５とからなり、載置面５は前後方向に長い略楕円形状に形成されている。また、本体部６は載置面５の前端から前方に向けて下方に傾斜を成して形成されており、載置面５よりも下方である本体部６の前端には、切欠部８が前後方向に向けて形成されている。この切欠部８の後部には、略円形状の係合孔９が連通して形成されている。更に、切欠部８は、本体部６の前端から係合孔９にかけて左右方向の幅が縮小するように、略テーパー状に形成されている。【００１６】  尚、本体部６の下面６ａは、図１（ａ）に示すように、本体部６の前端から後方にかけて略直線状に形成されており、本体部６の上面に形成された載置面５の後部は、本体部６の下面６ａの後端よりも後方に向かって突出している。更に尚、図１（ｃ）及び図２に示すように、本体部６の内部は、後方及び下方に向かって開口する中空に形成されており、手置き台１の重量を軽量化している。【００１７】  図１（ｂ）に示すように、吸盤７は、弾性を有する樹脂材により構成されており、膳板３上面に押圧されることで発生する吸引力によって膳板３上面に着脱自在に吸着する取付面７ａと、取付面７ａの上部から上方に向けて延設された軸部７ｂと、から構成されている。軸部７ｂは、本体部６に形成された係合孔９の直径と略同一の直径に形成された円柱形状を成している。また、軸部７ｂの上端部には、軸部７ｂの直径よりも拡径された拡径部７ｃが形成されている。【００１８】  この吸盤７は、本体部６に対して切欠部８を通して係合孔９に取り付けられる。詳しくは、吸盤７の軸部７ｂを切欠部８から係合孔９に向けて側方から挿通させる。このとき、切欠部８がテーパー状に形成されていることで、軸部７ｂは切欠部８の側面にガイドされて係合孔９に係合される。更に、軸部７ｂの直径は係合孔９の直径と略同一なので、吸盤７は係合孔９で水平方向に回動自在に軸支されるとともに、軸部７ｂの上部には拡径部７ｃが形成され、下部は取付面７ａに形成されているので、上下方向の移動が規制される。【００１９】  上述したように構成された手置き台１は、図４（ａ）に示すように、膳板３上面におけるハンドル４に対応する所定位置（図４、図５参照）に、吸盤７を上方から押圧することによって取り付けられる。このとき、載置面５の後部は、膳板３の後端よりも後方に配置される。尚、載置面５には、使用者の腕Ｕの負荷を軽減するリストレスト１０が載置される。【００２０】  図３（ａ）及び図３（ｂ）に示すように、このリストレスト１０は、板状に形成された基板部１０ａと、この基板部１０ａの上部に設けられ、透光性を有するクッション部１０ｂと、基板部１０ａとクッション部１０ｂ間に配置される広告表示部１０ｃと、から構成されており、平面視卵型に形成されている。尚、本実施例では、図３（ａ）及び図３（ｂ）の紙面右側をリストレスト１０の前方側として説明する。【００２１】  詳しくは、リストレスト１０の基板部１０ａは、滑り止め特性を有するとともに透光性を有するウレタン樹脂等の樹脂材によって構成されており、載置面５上で使用者の腕Ｕが動いても、リストレスト１０の位置ずれが防止されるようになっている。【００２２】  また、図３（ｂ）に示すように、クッション部１０ｂの最頂部Ｐ１（図６参照）はクッション部１０ｂの中央よりやや後方位置に配置されており、最頂部Ｐ１の前方側は基板部１０ａ上面まで緩やかな傾斜を成しており、最頂部Ｐ１の後方側は基板部１０ａ上面まで最頂部Ｐ１の前方側よりも急な傾斜を成して形成されている。【００２３】  更に、クッション部１０ｂは、弾性及び透光性を有するウレタンゲル等によって構成されたゲル層１０ｄによって構成されている。尚、図３（ａ）に示すように、ゲル層１０ｄの形状は、基板部１０ａと同じく平面視卵型であり、大きさは、基板部１０ａの平面視よりも小さく形成されている。【００２４】  基板部１０ａの上面には略方形状の広告表示部１０ｃが設けられる。この広告表示部１０ｃの表面には、例えば対応するパチンコ遊技機２に関連する情報や遊技店情報等の広告が印刷されている。そして、広告表示部１０ｃが載置された基板部１０ａは、上方からクッション部１０ｂが載置されるとともに、ウレタン等の樹脂材によって構成された外カバー１０ｆによって被覆される。この外カバー１０ｆは、基板部１０ａの周端縁部までを被覆した後に熱溶着等の手段で基板部１０ａの終端縁部に���着されることによって、基板部１０ａとクッション部１０ｂを一体に囲繞している。尚、これら基板部１０ａ及びクッション部１０ｂは、透過性を有しているため、広告表示部１０ｃに印刷された広告は、クッション部１０ｂを通して使用者が視認となっている。【００２５】  また、基板部１０ａの前端はクッション部１０ｂよりも前方に向けて突設されており、上下方向に貫通した係止孔１０ｇが形成されている。この係止孔１０ｇは、例えば使用者がリストレスト１０を使用しないときに、パチンコ遊技機２の側方に取り付けられた、図示しないフック等に係止しておくために形成されている。更に、この係止孔１０ｇには、長さが伸縮可能なワイヤー等を取り付け、ワイヤーの端部をパチンコ遊技機２側に取り付けることで、リストレスト１０の盗難を防止するようにしてもよい。【００２６】  そして、図４（ａ）に示すように、使用者は、膳板３の表面に取り付けられた手置き台１の載置面５に上述のリストレスト１０を載置した後、パチンコ遊技機２のハンドル４を把持した腕Ｕをリストレスト１０に載置することによって、リストレスト１０を介して手置き台１に使用者の腕Ｕの荷重がかかる。【００２７】  このとき、手置き台１は、使用者の腕Ｕの荷重がかかることによって、図４（ａ）に示すように、本体部６の下面６ａの後部が膳板３の後端部に当接する。そして、本体部６の下面６ａと膳板３の後部の当接箇所が支点となり、使用者の腕Ｕの荷重が下向きの力として作用することによって、本体部６の前端に上向きの力が発生するが、吸盤７の取付面７ａの膳板３に対する吸着力によって、本体部６の前端の浮き上がりが防止される。【００２８】  尚、本発明の手置き台１は、パチンコ遊技機２にて遊技を行う際に使用される操作部としてのハンドル４の長さが機種により異なる場合には、膳板３上面での取り付け位置を適宜前後方向に変更することができる。詳しくは、図４（ａ）に示すように、パチンコ遊技機２から後方に向かって長さＬ１で突設しているハンドル４を使用者の腕Ｕが把持する場合には、手置き台１は、膳板３の前方側で取り付けられる。つまり吸盤７を膳板３の上面における前方側（パチンコ遊技機２側）に吸着する。【００２９】  そして、図４（ｂ）に示すように、図４（ａ）のハンドル４の突設長さＬ１よりも長い突設長さＬ２でパチンコ遊技機２から後方に向かって突設しているハンドル４を使用者の腕Ｕが把持する場合には、図４（ａ）における取り付け位置よりも距離Ｌ３（Ｌ３＝Ｌ２−Ｌ１）だけ後方に取り付け位置を変更することによって、突出長さが変わる場合でも、吸盤７の膳板３の上面に対する取付位置を前後方向に変更することで、使用者はハンドル４に対する腕Ｕの載置位置を変更せずに載置面５上のリストレスト１０に載置することができる。【００３０】  また、膳板３上面での取り付け位置を調整した手置き台１は、前端の係合孔９で吸盤７の軸部７ｂが回動自在に取り付けられているので、図５に示すように、吸盤７の軸部７ｂを中心軸として水平方向に回動自在となっている。このため、使用者は、手置き台１の水平方向の向き、つまりハンドル４の軸心に対する載置面５の水平方向の傾斜角度を、パチンコ遊技機２のハンドル４を把持しや���い向きに調整することができる。【００３１】  更に、手置き台１は、載置面５の後端が膳板３上面に完全に配置（図５点線部）されるように回動することで、吸盤７を取り外さなくても、平面視横向きにして遊技機２側に寄せておくことができるため、手置き台１を使用しない場合であっても、パチンコ遊技機２の操作に邪魔にならないよう退避させることができる。【００３２】  また、パチンコ遊技機２の扉を開閉する際において、リストレスト１が扉と干渉しないようにすることができるとともに、遊技者の着座または離席する際等において、載置面５の後部が膳板３の後端部から張り出したリストレスト１を取り外さなくても、回転させるだけで簡単に退避させることができる。さらに、膳板３上面を清掃する必要がある場合は、吸盤７を取り外すことができるため、清掃の邪魔になることがない。【００３３】  尚、図６（ａ）に示すように、本実施例では、リストレスト１０は、前方側をパチンコ遊技機２と対向するように本体部６の載置面５に載置されており、使用者の腕Ｕはハンドル４から後方にＬ４の距離に位置している最頂部Ｐ１で、載置面５からの高さＬ６で支持されている。このため、使用者はハンドル４から後方にＬ４の距離でリストレスト１０に腕Ｕを支持されつつ、腕Ｕを略水平またはリストレスト１０の前方側の緩やかな傾斜に沿ってハンドル４を把持することができる。【００３４】  更に、図６（ｂ）に示すように、リストレスト１０は、使用者によってはハンドル４を把持し易いように、リストレスト１０の前方側を後方に向けて（前後反転して）載置面５に載置することもできる。このとき、リストレスト１０の最頂部Ｐ１は、ハンドル４から後方にＬ４の距離よりも短いＬ５の距離に配置されるので、使用者は図６（ａ）に示す支持位置よりも前方側で腕Ｕをリストレスト１０に支持されつつ、腕Ｕを略水平としてハンドル４を把持することができる。尚、使用者は、リストレスト１０の最頂部Ｐ１だけでなく、最頂部Ｐ１よりも載置面５からの高さが低い、リストレスト１０の傾斜の途上である載置面５からＬ７の高さに位置している途上部Ｐ２に腕Ｕを載置することで、腕Ｕを前方に向かって緩やかな上向きの傾斜を成すように支持されてハンドル４を把持することができる。また、載置面５に対するリストレスト１０の前後位置を変更することで微調整も可能となる。【００３５】  更に、図７（ａ）、図７（ｂ）、図７（ｃ）に示す変形例のように、本体部６とリストレスト１０とを一体に形成してもよい。例えば、平面視略楕円形状の板体である載置板１１の上面を載置面５に形成し、載置面５に広告表示部１０ｃを載置した状態でクッション部１０ｂを載置面５に一体的に取り付ける。こうすることで、載置面５上のリストレスト１０の位置が動いてしまうことを防ぐことができる。【００３６】  以上説明したように、本実施例の手置き台１にあっては、膳板３上面に対して吸盤７を着脱することで、パチンコ遊技機２に対する載置面５の前後位置を簡単に変えることができるため、使用者は、パチンコ遊技機２の機種に応じて、また所望の使用位置にセットして使用することができる。特に取付手段として吸盤７を適用していることで、膳板３に孔を穿けるなどの加工等���施すことなく、吸引力により簡単に取り付けることができるため、多数の使用者（遊技者）が好みの位置で使用することが可能である。【００３７】  また、載置面５は本体部６の下面６ａ後端よりも後方に突出した状態で設けられるため、膳板３が短くても、載置面５を極力後方、つまりパチンコ遊技機２から離れた位置に配置することができるとともに、吸盤７は、本体部６の下面６ａ側の前部に設けられているので、本体部６を極力膳板３の後端側に配置することが可能となる。さらに、本体部６は前後方向に縦長に形成されているため、ハンドル４の側方に形成される下皿下方に配置される玉箱等の邪魔になることがない。【００３８】  また、本体部６は下面６ａ側が開口する中空状に形成され、その左右一対の側壁の下端面にて本体部６の下面６ａが形成されていることで、吸盤７は、その上面の一部が本体部６により覆われるように本体部６内に配置されるため、吸盤７の厚み等を本体部６で許容できるばかりか、吸盤７の左右側が安定して支持され、ガタツキ等が生じにくい。【００３９】  また、本体部６は、軸部７ｂ周りに回動自在に設けられているので、本体部６を軸部７ｂ周りに水平回転させることができるため、使用者の腕Ｕの置き方に応じて載置面５の配置位置や向きを変更できるとともに、使用しない場合、あるいはパチンコ遊技機２を開放する際に所定の方向に回動して寄せておくことができるため、邪魔になることがない。【００４０】  また、本体部６と吸盤７とは着脱自在であるため、複数の手置き台１を遊技場で保管する際においてそれぞれを別体にしてコンパクトに収納しておくことができる。【００４１】  また、取付手段は、膳板３の上面に吸着可能な吸盤７からなるので、膳板３の上面に対する本体部６の取り付け、取り外しを、吸盤７の吸引力を利用して簡単に行うことができる。
【実施例２】
【００４２】  次に、実施例２に係る手置き台につき、図８、図９（ａ）、図９（ｂ）を参照して説明する。尚、前記実施例と同一構成で重複する構成を省略する。図８は、実施例２における手置き台の平面図であり、図９（ａ）は、手置き台の膳板への取り付けを示す側面図であり、図９（ｂ）は、手置き台の膳板への取り付けを示す側面図である。以下、図８、図９（ａ）、図９（ｂ）の紙面右側を手置き台の前方として説明する。【００４３】  図８に示すように、本実施例の手置き台１２の本体部１３の前端には、前後方向に調整溝１４が形成されている。この調整溝１４には、前後方向に複数（本実施例では４つ）の係合孔１５が連設されている。【００４４】  また、調整溝１４の左右幅は、係合孔１５の直径よりも幅狭に形成されている。このため、吸盤７は隣り合う係合孔１５，１５間を、調整溝１４で軸部７ｂを弾性変形させることによって移動可能となっている。【００４５】  そして、図９（ａ）に示すように、パチンコ遊技機２から後方に向かって長さＬ１で突設しているハンドル４を使用者の腕Ｕが把持する場合には、手置き台１２は、調整溝１４の最後端に連設された係合孔１５に吸盤７の軸部７ｂを取り付け、本体部１３の前端が、膳板３上面の前方側に配置されるように、吸盤７を膳板３上面に取り付ける。【００４６】  更に、図９（ｂ）に示すように、パチンコ遊技機２から後方に向かって長さＬ２で突設しているハンドル４を使用者の腕Ｕが把持する場合には、図９（ａ）における吸盤７の取り付け位置をそのままに、本体部１３を後方に引くことによって、調整溝１４を介して前方側の係合孔１５を吸盤７の軸部７ｂに取り付ける。このようにすることで、膳板３上面に対する吸盤７の取り付け位置を変更することなく、手置き台１２の取り付け位置を後方に向かって長さＬ３移動させて取り付けることができる。【００４７】  以上、本体部１３は、吸盤７に対して前後方向に相対移動自在に設けられているので、膳板３の上面に対する吸盤７の取付位置を変更することなく、本体部１３を前後方向に移動するだけで、載置面５の前後位置調整を容易に行うことができる。
【実施例３】
【００４８】  次に、実施例３に係る手置き台につき、図１０（ａ）及び図１０（ｂ）を参照して説明する。尚、前記実施例に示される構成部分と同一構成部分に付いては同一符号を付して重複する説明を省略する。図１０（ａ）は実施例３における手置き台の膳板への取り付けを示す側面図であり、図１０（ｂ）は、手置き台の膳板への取り付けを示す側面図である。以下、図１０（ａ）及び図１０（ｂ）の紙面右側を手置き台の前方として説明する。【００４９】  図１０（ａ）に示すように、手置き台１６の本体部６の下面６ａ前端及び膳板３上面には、本実施例における取付手段としての面ファスナー１７が設けられている。この面ファスナー１７は、詳しくは、本体部６の下面６ａ前端に貼り付けられている、鉤状に起毛されたフック部１７ａと、膳板３上面に貼り付けられている、ループ状に密集して起毛されたループ部１７ｂと、から構成されている。【００５０】  フック部１７ａとループ部１７ｂは、互いに当接させることで着脱可能となっており、例えば、図１０（ａ）に示すように、パチンコ遊技機２から後方に向かって長さＬ１で突設しているハンドル４を使用者の腕Ｕが把持する場合には、フック部１７ａをループ部１７ｂの前方側で当接させることで手置き台１６を膳板３上面に取り付けることができるが、図１０（ｂ）に示すように、パチンコ遊技機２から後方に向かって長さＬ１で突設しているハンドル４を使用者の腕Ｕが把持する場合には、図１０（ａ）に示す手置き台１６の取り付け位置から手置き台１６を容易に取り外し、後方に向かって長さＬ３移動させて取り付けることができる。【００５１】  以上、本発明の実施例を図面により説明してきたが、具体的な構成はこれら実施例に限られるものではなく、本発明の要旨を逸脱しない範囲における変更や追加があっても本発明に含まれる。【００５２】  例えば、前記実施例では、取付手段として吸盤７や面ファスナー１７等を記載したが、膳板３の上面に着脱自在に取り付けることができるものであれば、例えば膳板３上面に係止穴等が前後方向に複数箇所に設けられていれば、これら複数の係止穴に係脱可能な係止部等を形成し、これら係止穴と係止部とを取り付け手段としてもよい。【００５３】  また、前記実施例では、吸盤７は本体部６の下面６ａ側前端に１つのみ設けられていたが、複数箇所に設けてもよい。【００５４】  また、前記実施例では、本体部６に吸盤７が取り付けられた状態で膳板３上面に手置き台１を取り付けたが、最初に吸盤７のみを膳板３の上面に取り付けることで手置き台１の取り付け位置を決定し、本体部６を後方から吸盤７の軸部７ｂを係合孔９に取り付けるようにスライドさせることで、手置き台１を膳板３上面に取り付けるようにしてもよい。【００５５】  また、前記実施例では、載置面５にリストレスト１０を載置したが、リストレスト１０を載置面５に載置せず、直接載置面５で使用者の腕Ｕを支持するようにしてもよい。【００５６】  また、前記実施例では、パチンコ遊技機２から後方に向かって突設しているハンドル４の突出長さに応じて、手置き台１の吸盤７の膳板３の上面に対する取付位置を前後方向に変更したが、膳板３の上面からのハンドル４の高さ位置が機種等により異なる場合には、手置き台１の吸盤７の膳板３の上面に対する前後の取付位置を変更しなくても、リストレスト１０の前方側を後方に向けて（前後反転して）リストレスト１０を載置面５に載置することで、使用者の腕Ｕを支持する高さ位置を容易に変更することができる。
【図面の簡単な説明】
【００５７】
【図１】（ａ）は、本発明の実施例１における手置き台の全体像を示す平面図であり、（ｂ）は、手置き台の側面図であり、（ｃ）は、手置き台の背面図である。
【図２】図１（ａ）における手置き台のＡ−Ａ断面図である。
【図３】（ａ）は、リストレストの平面図であり、（ｂ）は、（ａ）におけるリストレストのＢ−Ｂ断面図である。
【図４】（ａ）は、手置き台の膳板への取り付けを示す側面図であり、（ｂ）は、手置き台の膳板への取り付けを示す側面図である。
【図５】手置き台の回動を示す平面図である。
【図６】（ａ）は、載置面に載置されるリストレストの向きを示す側面図であり、（ｂ）は、実施例１の変形例である載置面に載置されるリストレストの向きを示す側面図である。
【図７】（ａ）は、実施例１の変形例である手置き台を示す平面図であり、（ｂ）は、手置き台を示す側面図であり、（ｃ）は、手置き台を示す背面図である。
【図８】実施例２における手置き台の平面図である。
【図９】（ａ）は、手置き台の膳板への取り付けを示す側面図であり、（ｂ）は、手置き台の膳板への取り付けを示す側面図である。
【図１０】（ａ）は実施例３における手置き台の膳板への取り付けを示す側面図であり、（ｂ）は、手置き台の膳板への取り付けを示す側面図である。
【符号の説明】
【００５８】１                手置き台
２                パチンコ遊技機（遊技機）
３                膳板
４                ハンドル
５                載置面
６                本体部
６ａ              下面
７                吸盤（取付手段）
７ａ              取付面
７ｂ              軸部
７ｃ              拡径部
１１              載置板
１２              手置き台
１３              本体部
１５              係合孔
１６              手置き台
１７              面ファスナー（取付手段）
Ｕ                腕
Ｐ１              最頂部
Ｐ２              途上部
【図１】
2009247845.tif 000003
【図２】
2009247845.tif 000004
【図３】
2009247845.tif 000005
【図４】
2009247845.tif 000006
【図５】
2009247845.tif 000007
【図６】
2009247845.tif 000008
【図７】
2009247845.tif 000009
【図８】
2009247845.tif 000010
【図９】
2009247845.tif 000011
【図１０】
2009247845.tif 000012